(57)【要約】【課題】本発明は、車両用ランプとバンパとの接合部の組立精度を確保し、両者を良好な相対位置関係に保ちながら、軽衝突時にランプを良好に保護することができるようにした車両用ランプ及びバンパ取付構造を提供することを目的とする。【解決手段】車体に取り付けるランプ１とバンパ２とを予め設定された相対位置関係に保持する保持部材３を備えた車両用ランプ及びバンパ取付構造において、保持部材３は、保持部材３をランプ１に結合するためのランプ結合部４と、保持部材３をバンパ２に結合するためのバンパ結合部５と、バンパ２への衝撃入力時に破断して該衝撃のランプ１側への入力を防ぐ衝撃入力時破断部位６とを備えることを特徴とする。【選択図】        図１
2004322910.tif 000002
【特許請求の範囲】
【請求項１】
車体に取り付けるランプとバンパとを予め設定された相対位置関係に保持する保持部材を備えた車両用ランプ及びバンパ取付構造において、
前記保持部材は、
該保持部材を前記ランプに結合するためのランプ結合部と、
前記保持部材を前記バンパに結合するためのバンパ結合部と、
前記バンパへの衝撃入力時に破断して該衝撃の前記ランプ側への入力を防ぐ衝撃入力時破断部位とを備える
ことを特徴とする、車両用ランプ及びバンパ取付構造。
【請求項２】
前記ランプ結合部は、前記ランプに締結部材により結合されている
ことを特徴とする、請求項１記載の車両用ランプ及びバンパ取付構造。
【請求項３】
前記ランプは、前記ランプ結合部が結合する部位に、補強構造を備える
ことを特徴とする、請求項１又は２記載の車両用ランプ及びバンパ取付構造。
【請求項４】
前記バンパの裏面に形成された被支持部と、
前記バンパ結合部に形成され前記被支持部を支持する支持部と、
前記被支持部に形成された穴部と、
前記支持部に形成された係止爪とが設けられ、
前記係止爪が前記穴部に嵌入することにより、前記被支持部が前記支持部に係止され且つ支持される
ことを特徴とする、請求項１〜３のいずれか１項に記載の車両用ランプ及びバンパ取付構造。
【請求項５】
前記衝撃入力時破断部位は、前記支持部に設けられる
ことを特徴とする、請求項４記載の車両用ランプ及びバンパ取付構造。
【発明の詳細な説明】
【０００１】
【発明の属する技術分野】
本発明は、自動車に設けられるランプとバンパとを所定の相対位置関係に結合させるためのヘッドランプの車両用ランプ及びバンパ取付構造に関する。
【０００２】
【従来の技術】
自動車の車体の前部又は後部に取り付けられるランプとバンパとは、外観上、上下に隣接して配置されるが、これらのランプとバンパとの接合によって形成される隙間が所定の大きさに形成されることは外観上重要であり、この隙間の精度を確保するための様々な構造が実用化されている。
【０００３】
例えば、図２（ａ），（ｂ）に示すように、従来の車両用ランプ及びバンパの取付構造においては、ヘッドランプ１０１とフロントバンパ１０２とが外観上隣接する部分の接合部の裏面（車体内側）で、ヘッドランプ１０１のレンズ１１０と一体に、略車体前後方向に突出するリブ１２０を形成し、フロントバンパ１０２に、やはり略車体前後方向に突出された受けリブ１２１にヘッドランプ１０１のリブ１２０を把持させて、係止させるようにした構造がある。このような構造によれば、ヘッドランプ１０１がフロントバンパ１０２へ直接係止されるとともに、係止位置やヘッドランプ１０１とフロントバンパ１０２との間隔を一定に保持することができるようになるため、ヘッドランプ１０１とフロントバンパ１０２との接合部の組立精度を確保することができる。
【０００４】
また、その他の構造として、ヘッドランプとフロントバンパとの間の隙間を保つ保持装置を設けたものもある（例えば、特許文献１参照）。この保持装置は、ヘッドランプから車両後方へ延び出るヘッドランプ係止脚を嵌入されてヘッドランプに固定されるヘッドランプ固定部と、フロントバンパから車両後方へ延び出るフロントバンパ係止脚を嵌入されてそのフロントバンパに固定されるフロントバンパ固定部とから成り、フロントバンパ固定部には、そこに固定されたフロントバンパ係止脚がさらに進入することによって撓む可撓性の干渉部が形成されるとともに、ヘッドランプ固定部にはヘッドランプ係止脚の係止爪に係合するロック爪が形成されており、干渉部とロック爪とが、干渉部の撓みによってロック爪を解除位置移動させるように連結片によって連結されるように構成されている。
【０００５】
【特許文献１】
特開２００２−２９３４３号公報（図１０，図１１）
【０００６】
【発明が解決しようとする課題】
しかし、図２（ａ），（ｂ）に示される構造の場合、ヘッドランプ１０１に形成されたリブ１２０は、レンズ１１０と一体に形成されているため、車両の衝突時等にフロントバンパ１０２へ衝撃荷重が加えられると、その衝撃荷重がヘッドランプ１０１へも直接伝達されることになり、ヘッドランプ１０１が損傷するおそれがある。また、このような車両の衝突等によってヘッドランプ１０１のリブ１２０のみが破損した場合、リブ１２０はヘッドランプ１０１のレンズ１１０と一体に形成されているものであるため、レンズ１１０の部品を交換することになるが、一般的なヘッドランプにおいては、レンズ内への雨水等の進入を防止するためにレンズとハウジングとが接着されていることが多く、レンズの部品のみを交換することができない。したがって、実際にはヘッドランプ全体の交換を行わなければいけないことになってしまう。
【０００７】
また、上述の特許文献１に記載の技術によれば、フロントバンパが衝突によって衝撃を受けた場合、ヘッドランプを保持装置から分離することができ、フロントバンパへの衝撃がヘッドランプへ影響を与えないようにすることができるが、フロントバンパへ衝撃が入力された時にロック爪の係合状態が解除されて保持装置が分離される構造とされているため、フロントバンパへの衝撃入力時に保持装置の内部では殆ど衝撃を吸収することができず、衝撃入力時に車両後方側に移動したフロントバンパ自体がヘッドランプと干渉して（特許文献１の図１１（Ｂ）参照）、ヘッドランプを破損するおそれがあるといった課題がある。
【０００８】
本発明はこのような課題に鑑み創案されたもので、車両用ランプとバンパとの接合部の組立精度を確保し、両者を良好な相対位置関係に保ちながら、軽衝突時にランプを良好に保護することができるようにした車両用ランプ及びバンパ取付構造を提供することを目的とする。
【０００９】
【課題を解決するための手段】
このため、請求項１記載の本発明の車両用ランプ及びバンパ取付構造は、車体に取り付けるランプとバンパとを予め設定された相対位置関係に保持する保持部材を備えた車両用ランプ及びバンパ取付構造において、前記保持部材は、該保持部材を前記ランプに結合するためのランプ結合部と、前記保持部材を前記バンパに結合するためのバンパ結合部と、前記バンパへの衝撃入力時に破断して該衝撃の前記ランプ側への入力を防ぐ衝撃入力時破断部位とを備えることを特徴としている。
【００１０】
また、前記ランプ結合部は、前記ランプに締結部材により結合されていることが好ましい。この場合、締結部材としては、ボルト及びナットを用いることや、ビスを用いることが好ましい。
また、前記ランプは、前記ランプ結合部が結合する部位に、補強構造を備えることが好ましい。
【００１１】
さらに、前記バンパの裏面に形成された被支持部と、前記バンパ結合部に形成され前記被支持部を支持する支持部と、前記被支持部に形成された穴部と前記支持部に形成された係止爪とが設けられ、前記係止爪が前記穴部に嵌入することにより、前記被支持部が前記支持部に係止され且つ支持されること、特に、前記支持部には、前記被支持部を支持して前記バンパの移動を拘束する支持爪が形成されることが好ましく、また、前記衝撃入力時破断部位は、前記支持部に設けられること、特に、前記衝撃入力時破断部位は、前記支持爪に設けられることが好ましい。
【００１２】
【発明の実施の形態】
以下、図面を参照しながら本発明の実施形態にかかる車両用ランプ及びバンパ取付構造を説明する。
図１は本発明にかかる車両用ランプ及びバンパ取付構造の構成を示す全体構成図であり、（ａ）は本構造を備えた自動車の車体左前部におけるヘッドランプ部及びフロントバンパ部の斜視図、（ｂ）は本構造におけるヘッドランプ，係止部材及びフロントバンパの係止状態を示す、図１（ａ）のＡ−Ａ縦断面図、（ｃ）は本構造の要部構成である保持部材とフロントバンパとを示す斜視図である。
【００１３】
図１（ａ），（ｂ）に示すように、本構造を備えた自動車のヘッドランプ（以下、単にランプという）１及びフロントバンパ（以下、単にバンパという）２は、ブラケット（保持部材）３を介して互いに保持されるようになっている。ブラケット３は、ブラケット３とランプ１とを結合するランプ結合部４と、ブラケット３とバンパ２とを結合するバンパ結合部５とを備えており、ランプ結合部４においてはブラケット３とランプ１のハウジング９とがビス（締結部材）７によって止められて結合されるようになっている。
【００１４】
また、ランプ１のハウジング９には、ブラケット３のランプ結合部４と当接する部位に、リブによる補強構造８が設けられている。この補強構造８は、主に、ビス止め部７ａを中心とした周囲に、ハウジング９面に対して垂直に且つ縦横に形成された複数のリブによって立体的に構成されており、これらの複数のリブによって、ビス止め部７ａに働く様々な方向（例えば、ビスを係止する方向である引張，圧縮方向や、ビスを回転させるモーメント方向等）に働く応力に対して、ビス止め部７ａが破壊しないように、周囲の剛性及び強度が確保されるようになっている。
【００１５】
また、ブラケット３のバンパ結合部５には、バンパ２からブラケット３の取付方向へ突き出して形成されたフランジ状の被係止部１２を支持する支持部１１が設けられている。この支持部１１には、バンパ２の被支持部１２を係止する係止爪１３と支持爪１５，１５´（衝撃入力時破断部位６）とが備えられている。つまり、支持部１１は、ブラケット３の取付時に車体前方へ略水平に突出するように板状に形成され、この板状の支持部１１の上方に、やはり車体前方へ略水平に突出した左右一対の支持爪１５，１５´を設けられている。フランジ状の被支持部１２は、このような支持部１１と支持爪１５，１５´との間に嵌入しうるように略水平な板状に形成されている。また、係止爪１３は、左右一対の支持爪１５，１５´間において、上記の支持部１１と支持爪１５，１５´との間のスペースに向けて突設されている。
【００１６】
また、被支持部１２には穴部１４が備えられている。そして、支持部１１と支持爪１５，１５´との間に被支持部１２が嵌入されると、支持部１１に備えられた支持爪１５の基部１５ａには、フランジ状の被支持部１２の先端面１２ａが当接するとともに、係止爪１３が、バンパの被支持部１２の穴部１４にちょうど嵌入し、ブラケット３の支持部１１とバンパの被支持部１２とが結合して、支持部１１及び被支持部１２の両者は、支持部１１と左右の支持爪１５，１５´とで被支持部１２を挟持することで上下方向に、穴部１４内に係止爪１３が嵌入することで左右方向に、また、穴部１４内に係止爪１３が嵌入することによる、互いの対向面、すなわち、穴部端面１４ａ，係止爪端面１３ａの当接と、被支持部の先端面１２ａ，基部１５ａの当接により、前後方向に、夫々移動を拘束されるようになっている。
【００１７】
これらの係止爪１３及び支持爪１５，１５´（特に、支持爪１５，１５´）は、車両の衝突等によってバンパ２へ一定の衝撃が入力され、ブラケット３が車体内方へ変位すると、破壊されてバンパ２と保持部材３との結合が解除されるように、所定以下の強度を設定されている。すなわち、係止爪１３及び支持爪１５以外の部位においては、ブラケット３全体は高い強度を持ち、ランプ１とバンパ２とを確実に結合できるようになっていると同時に、ブラケット３の係止爪１３及び支持爪１５については、ブラケット３の他の部位と比較して低い強度が設定されており、バンパ２への衝撃入力時に破断するようになっている。
【００１８】
なお、ブラケット３の係止爪１３及び支持爪１５が破断する荷重は、車両の通常運転時にバンパ２へ働く荷重よりも十分大きく、また、車両の軽衝突時にバンパ２へ働くと予想される荷重よりも小さい所定値として設定してある。
バンパ２は、車両のごく軽微な衝突時、バンパ２に所定値未満の衝撃荷重が働いた時には、バンパ２が衝撃を吸収して変位をしないようになっている。一方、所定値以上の衝撃荷重がバンパ２へ働いた時には、バンパ２は車体内方へ変位するようになっている。そして、バンパ２の車体内方への変位の大きさが一定以上になると、支持爪１５，１５´に上記所定値以上の荷重が加わり、支持爪１５，１５´が破断するようになっている。
【００１９】
また、ここでは、ブラケット３の材料として、ＦＲＰ（ガラス繊維、又はカーボン繊維で強化されている樹脂）が用いられており、係止爪１３及び支持爪１５以外の部位においては、ブラケット３全体として非常に高い剛性及び強度を持つように設定されている。
【００２０】
以上のような構成により、本実施形態の車両用ランプ及びバンパ取付構造によれば、以下のような作用及び効果が得られる。
ブラケット３とランプ１とがビス７によって締結されて結合される。ランプ１がランプ結合部４と当接する部位やビス止め部には、リブによる補強構造８が設けられているため、ブラケット３のランプ結合部４周辺の剛性が高まり、ブラケット３をランプ１へ確実に結合することができる。
【００２１】
また、バンパ２の被支持部１２は、バンパ結合部５の支持部１１に備えられた係止爪１３と支持爪１５によって移動を拘束されて結合される。つまり、支持部１１と左右の支持爪１５，１５´とが被支持部１２を挟持することで、支持部１１及び被支持部１２の上下方向への移動が拘束され、穴部１４内に係止爪１３が嵌入することで、左右方向への移動が拘束され、穴部１４内に係止爪１３が嵌入することによる、穴部端面１４ａ，係止爪端面１３ａの当接と、被支持部の先端面１２ａ，基部１５ａの当接により、前後方向への移動が拘束される。このため、ブラケット３は全ての方向に対してバンパ２の移動を拘束することができ、バンパ２を確実に結合することができる。
【００２２】
また、バンパ２とブラケット３との結合作業は、支持爪１５による挟み込みと係止爪１３の嵌入によって容易に確実に行うことができる。
また、係止爪１３及び支持爪１５以外の部位においては、ブラケット３全体が高い剛性及び強度を持っているため、ブラケット３を介して接続されているランプ１とバンパ２とが、確実に結合される。したがって、ランプ１とバンパ２とを適切な相対位置関係に安定して保持することができ、ランプ１とバンパ２との隙間精度を確保して、外観品質を向上させることができる。
【００２３】
ここで、車両の衝突等によって、バンパ２へ衝撃荷重が入力された場合、ごく軽微な衝突であれば、バンパ２に所定値未満の衝撃荷重が働いた時には、バンパ２が衝撃を吸収して変位しないが、所定値以上の衝撃荷重がバンパ２へ働いた時には、バンパ２は車体内方へ変位する。そして、バンパ２の車体内方への変位の大きさが一定以上になると、ブラケット３の支持爪１５，１５´に上記所定値以上の荷重が加わり、支持爪１５，１５´が破断する。
【００２４】
そのため、バンパ２と保持部材３との結合が解除され、バンパ２へ入力された衝撃がランプ１へ伝播されることがなくなる。さらに、上記所定値以上の荷重が加えられた場合には、ブラケット３を構成する一部分である支持爪１５，１５´が破断して荷重を確実に吸収する構成とされているため、支持爪１５，１５´破断後のバンパ２の車両後方側への移動量を確実に低減することができ、バンパ２がさらに車両後方へ移動してランプ１と干渉することを防止できる。したがって、車両の衝突等によってランプ１が破壊されることが少なくなる。また、衝突等によって破壊されたブラケット３は、単体で交換可能であるため、良好なリペア性を得ることができるとともに、修理コストを低減させることができる。
【００２５】
以上、本発明の一実施形態について説明したが、本発明はかかる実施形態に限定されたものではなく、本発明の趣旨を逸脱しない範囲で種々変形して実施することができる。
例えば、上述の実施形態においては、バンパ結合部５の支持部１１に設けられた係止爪１３及び支持爪１５，１５´が、衝撃を入力された時に破断する部位として備えられているが、上述の位置に限定されるものではなく、保持部材３がバンパ３から入力される衝撃をランプ１へ伝達しないように破断されるような構成であればよい。図１（ｃ）において、ブラケット３の曲折部２０に破断される部位を設定することにより、ブラケット３とバンパ結合部５との結合をより堅固に結合することができる。
【００２６】
また、上述の実施形態は、ヘッドランプ１とフロントバンパ２との取付構造において本発明を適用したものとなっているが、リアランプとリアバンパとの取付構造において本発明を適用することもできるとともに、その他のランプとバンパとの取付構造に適用することもできる。
【００２７】
【発明の効果】
以上詳述したように、請求項１記載の本発明の車両用ランプ及びバンパ取付構造によれば、バンパへの衝撃入力時に衝撃入力時破断部位が破断するため、入力された衝撃のランプへの伝達を適切に防止できるとともに、破断によって入力された衝撃を吸収することができるため、ランプの損傷を防止する事ができる。また、バンパへの衝撃が入力されていない時は、ランプとバンパとの接合部の精度を確保して適切な相対位置関係に保持することができる。
【００２８】
また、請求項２記載の本発明の車両用ランプ及びバンパ取付構造によれば、保持部材とランプとの結合を安定させることができ、ランプとバンパとの隙間精度を確保することができる。
また、請求項３記載の本発明の車両用ランプ及びバンパ取付構造によれば、保持部材とヘッドランプとの結合をより安定させることができる。
【００２９】
また、請求項４記載の本発明の車両用ランプ及びバンパ取付構造によれば、係止爪と穴部との嵌入によってバンパとバンパ結合部とが結合されるため、保持部材のバンパへの取付が容易となる。
また、請求項５記載の本発明の車両用ランプ及びバンパ取付構造によれば、比較的容易な構成で衝撃入力時破断部位を形成できる。
【図面の簡単な説明】
【図１】本発明の一実施形態としての車両用ランプ及びバンパ取付構造の構成を示す全体構成図であり、（ａ）は本構造を備えた自動車の車体左前部におけるヘッドランプ及びフロントバンパの斜視図、（ｂ）は本構造におけるヘッドランプ，係止部材及びフロントバンパの係止状態を示す断面図〔図１（ａ）のＡ−Ａ縦断面図〕、（ｃ）は本構造の要部構成である保持部材とバンパの被支持部とを示す斜視図である。
【図２】従来の車両用ランプ及びバンパ取付構造の構成を示す構成図であり、（ａ）は自動車のヘッドランプ及びフロントバンパの斜視図、（ｂ）はヘッドランプ及びフロントバンパの係止状態を示す断面図〔図２（ａ）のＢ−Ｂ縦断面図〕である。
【符号の説明】
１  ヘッドランプ（ランプ）
２  フロントバンパ（バンパ）
３  ブラケット（保持部材）
４  ランプ結合部
５  バンパ結合部
６  衝撃入力時破断部位
７  ビス（締結部材）
７ａ  ビス止め部
８  補強構造
９  ハウジング
１０  レンズ
１１  支持部
１２  被支持部
１２ａ  先端面
１３  係止爪
１３ａ  係止爪端面
１４  穴部
１４ａ  穴部端面
１５，１５ａ  支持爪
１５ａ  基部
２０  曲折部
【図１】
2004322910.tif 000003
【図２】
2004322910.tif 000004